(57)【特許請求の範囲】
【請求項１】
ボウル部及び平断面略Ｕ字状のスカート部を有する樹脂製の便器本体と、
床面に載置されて前記スカート部の下部を周方向に亘って支持するスカート支持部、及びこのスカート支持部と接続すると共に、このスカート支持部より上方に位置して前記便器本体の上側後部を支持する本体支持部を有し、前記便器本体より剛性の高い材料で形成された支持フレームとを備え、
前記本体支持部は、前記便器本体の上側後部を支持する高さが調整自在なものであることを特徴とする便器装置。
【請求項２】
ボウル部及び平断面略Ｕ字状のスカート部を有する樹脂製の便器本体と、
床面に載置されて前記スカート部の下部を周方向に亘って支持するスカート支持部、及びこのスカート支持部と接続すると共に、このスカート支持部より上方に位置して前記便器本体の上側後部を支持する本体支持部を有し、前記便器本体より剛性の高い材料で形成された支持フレームとを備え、
前記本体支持部は、前記便器本体の上側後部を支持する角度が調整自在なものであることを特徴とする便器装置。
【請求項３】
ボウル部及び平断面略Ｕ字状のスカート部を有する樹脂製の便器本体と、
床面に載置されて前記スカート部の下部を周方向に亘って支持するスカート支持部、及びこのスカート支持部と接続すると共に、このスカート支持部より上方に位置して前記便器本体の上側後部を支持する本体支持部を有し、前記便器本体より剛性の高い材料で形成された支持フレームとを備え、
前記本体支持部は、前記便器本体の上側後部を支持する高さ及び角度が調整自在なものであることを特徴とする便器装置。
【発明の詳細な説明】
【技術分野】
【０００１】
本発明は、便器装置に関するものである。
【背景技術】
【０００２】
特許文献１に記載の便器装置は、平断面略Ｕ字状の樹脂製のスカート部の下部を金属製の支持フレームによって支持したものである。そして、このスカート部を介して、ボウル部を有する便器本体全体を支持している。
【先行技術文献】
【特許文献】
【０００３】
【特許文献１】特開２００８−９５４４９公報
【発明の概要】
【発明が解決しようとする課題】
【０００４】
しかし、上述の便器装置では、スカート部が便器本体の後側までは回り込んでいないため、便器本体の後部は支持フレームによって直接支持されていない。そのため、便器本体の後部では、上からの荷重に対する強度不足が懸念される。
【０００５】
特に、便器本体に後付けで市販の便座装置を設置するような便器装置（図２（ａ）参照）では、この便器本体の後部上に便座下面の脚部が載置される場合がある。この場合、着座により便器本体の後部に上から大きな荷重がかかることになり、便器本体の歪みや破損のおそれがある。
【０００６】
そこで上記事情を鑑みて、本発明では、上からの荷重に対する便器本体の強度を向上させることができる便器装置を提案することを課題とする。
【課題を解決するための手段】
【０００７】
上記課題を解決するために本発明の便器装置は、ボウル部及び平断面略Ｕ字状のスカート部を有する樹脂製の便器本体と、床面に載置されて前記スカート部の下部を周方向に亘って支持するスカート支持部、及びこのスカート支持部と接続すると共に、このスカート支持部より上方に位置して前記便器本体の上側後部を支持する本体支持部を有し、前記便器本体より剛性の高い材料で形成された支持フレームとを備え、前記本体支持部は、前記便器本体の上側後部を支持する高さが調整自在なものであることを特徴とする。
【０００８】
また、上記課題を解決するために本発明の便器装置は、ボウル部及び平断面略Ｕ字状のスカート部を有する樹脂製の便器本体と、床面に載置されて前記スカート部の下部を周方向に亘って支持するスカート支持部、及びこのスカート支持部と接続すると共に、このスカート支持部より上方に位置して前記便器本体の上側後部を支持する本体支持部を有し、前記便器本体より剛性の高い材料で形成された支持フレームとを備え、前記本体支持部は、前記便器本体の上側後部を支持する角度が調整自在なものであることを特徴とする。
また、上記課題を解決するために本発明の便器装置は、ボウル部及び平断面略Ｕ字状のスカート部を有する樹脂製の便器本体と、床面に載置されて前記スカート部の下部を周方向に亘って支持するスカート支持部、及びこのスカート支持部と接続すると共に、このスカート支持部より上方に位置して前記便器本体の上側後部を支持する本体支持部を有し、前記便器本体より剛性の高い材料で形成された支持フレームとを備え、前記本体支持部は、前記便器本体の上側後部を支持する高さ及び角度が調整自在なものであることを特徴とする。
【発明の効果】
【０００９】
本発明の便器装置は、上からの荷重に対する便器本体の強度を向上させることができる。
【図面の簡単な説明】
【００１０】
【図１】本発明の実施形態の便器装置の支持フレームを示し、（ａ）は支持フレーム全体の斜視図であり、（ｂ）は支持フレームにより便器本体を支持した状態を示す要部斜視図である。
【図２】（ａ）は同上の便器装置の外観を示す斜視図であり、（ｂ）は他の実施形態の便器装置の外観を示す斜視図である。
【発明を実施するための形態】
【００１１】
本発明を、添付図面に示す実施形態に基づいて説明する。
【００１２】
本実施形態の便器装置１は、図２（ａ）に示すように、樹脂製の便器本体２、洗浄水の供給装置６、人体の局部を洗浄する局部洗浄装置や乾燥装置や脱臭装置等の便器付設装置７、および便器本体２と便器付設装置７とを支持するための金属製の支持フレーム３を備える。この便器装置１には、便座と便蓋とを備えた市販の便座装置（図示せず）が設置される。なお、図２（ａ）では、支持フレーム３の後側の側部を隠蔽する横カバーの図示を省略している。
【００１３】
便器本体２は、便器装置１の前部の外郭を構成する平断面略Ｕ字状をした樹脂製のスカート部２０と、スカート部２０内の上部に位置した樹脂製のボウル部２１と、ボウル部２１の上に位置する樹脂製の環状のリム部２２とで構成される。スカート部２０とボウル部２１とリム部２２とは溶着などで一体化されて、便器本体２を形成する。
【００１４】
スカート部２０は、下端よりの上方位置に内周に沿って内側に向けて突出する平面視略Ｕ字状をしたフランジ片（図示せず）を有する。
【００１５】
支持フレーム３は、図１（ａ）に示すように、床に設置される下フレーム３０と、下フレーム３０の後部上方に位置する上フレーム３１と、下フレーム３０及び上フレーム３１を接続する縦フレーム３２とを備えている。
【００１６】
下フレーム３０の前部は、スカート部２０のフランジ片と同じ形状（平面視略Ｕ字状）をしており、このフランジ片が上から重ねられてねじ等によって固定される。これにより便器本体２は支持フレーム３に支持される。つまり、この下フレーム３０の前部が、便器本体２のスカート部２０の下部を周方向に亘って支持するスカート支持部４となっている。なお、図示していないが、スカート部２０の左右両側部の内側からは、縦フレーム３２の前面に重ねて縦フレーム３２に取り付けるための突出片が突出している。この突出片はねじ等によって縦フレーム３２の前面に固定される。
【００１７】
上フレーム３１は、前後に長い上フレーム材３３を左右両側に配置し、上フレーム材３３の前端部同士を前連結材３４で連結し、上フレーム材３３の後端部同士を後連結材３５で連結して形成している。
【００１８】
縦フレーム３２は、下フレーム３０の前後方向の中央部と上フレーム材３３の前端部とを連結する前側縦フレーム材３８と、下フレーム３０の後端部と上フレーム材３３の後端部とを連結する後側縦フレーム材３９とで構成される。
【００１９】
前連結材３４の左右方向の中央部には、便器本体２の上側後部を支持する本体支持部５を備えている。本体支持部５は、上フレーム３１及び縦フレーム３２を介してスカート支持部４と接続されており、スカート支持部４より上方に位置している。本実施形態では、図１（ｂ）に示すように、便器本体２の上側後部、つまりは、ボウル部２１の上側後部の外周部２３を本体支持部５によって下方から支持している。本体支持部５は、便器本体２の上側後部を支持する高さ及び角度が調整自在なものである。詳しくは、本体支持部５は、図１（ａ）に示すように、上端に備えた平板状の載置板５０の高さ及び角度が調整自在である。この高さを調整するための構成として、本実施形態では、本体支持部５はボルトとナットとを備えている。また角度を調整するための構成として、本実施形態では、本体支持部５は、ボルトの上端に接続されるボールジョイントと、このボールジョイントの上端に設けられた載置板５０の傾きをボルトとボールジョイントとの接続箇所で固定する固定具とを備えている。なお、この高さや角度を調整する構成は、上述の構成に限定されない。
【００２０】
また、本実施形態では、ボウル部２１の上側後部の外周部２３から下方に向けて複数のリブ２４が突出しており、この複数のリブ２４の突出先端面２５が同一平面上に位置している。この複数のリブ２４の突出先端面２５の高さ及び角度に合わせて、載置板５０の高さ及び角度を調整することで、突出先端面２５に載置板５０が当接して、ボウル部２１の上側後部は支持フレーム３に安定的に支持される。なお、ボウル部２１の上側後部の外周部２３にリブ２４を設けず、外周部２３の外面を直接本体支持部５の載置板５０の上面に当てて支持するようにしてもかまわない。
【００２１】
上述した構成の便器装置１によると、便器本体２は、支持フレーム３のスカート支持部４によって前部から左右両側部に亘って支持されるとともに、支持フレーム３の本体支持部５によって後部も支持される。これにより、樹脂製の便器本体２は金属製の支持フレーム３によって前後左右で支持されることとなり、上からの荷重に対する便器本体２全体の強度が向上する。そのため、本実施形態の支持フレーム３は、図２（ａ）に示すような便器本体２に別体の便座装置（図示せず）を設置する便器装置１に、好適に利用できる。つまり、便座下面に便器本体２のリム部２２の後部上に載置される脚部を形成した便座装置を設置した場合であっても、この脚部を介して加わる上からの荷重を、強度が向上した便器本体２の後部によって受けることができ、便器本体２の歪みや破損の発生を抑制できる。なお、図２（ｂ）に示すような便器本体２と便座装置８とが一体的に形成された便器装置１に、本実施形態の支持フレーム３を利用してもかまわない。
【００２２】
また、本体支持部５で支持する便器本体２の上側後部は、上述した実施形態のようにボウル部２１の上側後部であってもよいし、便座が載置されるリム部２２の後部であってもかまわない。
【００２３】
以上のように本実施形態の便器装置１は、ボウル部２１及び平断面略Ｕ字状のスカート部２０を有する樹脂製の便器本体２と、便器本体２より剛性の高い材料（例えば金属）で形成された支持フレーム３とを備える。支持フレーム３は、スカート支持部４と本体支持部５とを有する。スカート支持部４は、床面に載置されてスカート部２０の下部を周方向に亘って支持する。本体支持部５は、スカート支持部４と接続すると共に、このスカート支持部４より上方に位置して便器本体２の上側後部を支持する。
【００２４】
このような構成とすることで、本実施形態では、スカート支持部４によって平断面略Ｕ字状のスカート部２０の下部を周方向に亘って支持したうえで、本体支持部５によって便器本体２の上側後部を支持することができる。すなわち、本実施形態では、便器本体２より剛性の高い材料（例えば金属）で形成された支持フレーム３によって樹脂製の便器本体２の前部から左右両側部だけでなく後部も支持することができるため、上からの荷重に対する便器本体２の強度を向上させることができる。その結果、便器本体２の歪みや破損を防止できる。
【００２５】
また、本実施形態の便器装置では、本体支持部５は、便器本体２の上側後部を支持する高さ及び角度が調整自在なものである。
【００２６】
このような構成とすることで、本実施形態では、便器本体２の上側後部の高さや形状に合わせて、この上側後部を支持する本体支持部５の高さ及び角度を調整することができる。これにより、本実施形態では、便器本体２の上側後部を確実に支持して、上からの荷重に対する便器本体２の強度を向上させることができる。
【００２７】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００２８】
１      便器装置
２      便器本体
２０    スカート部
２１    ボウル部
３      支持フレーム
４      スカート支持部
５      本体支持部
【図１】
0005874030.tif 000002
【図２】
0005874030.tif 000003